(57)【要約】【課題】画像のコントラストを大きく低下させることなく、高速に画像の書き換えられる情報表示装置を提供する。【解決手段】情報表示装置は、少なくとも一方が透明な一対の電極部と、一対の電極部と対応して設けられ、少なくとも一方が透明な一対の基板と、一対の電極部の間に封入され、電界が与えられることによって何れかの電極に向けて移動する表示媒体と、一対の電極部に電圧を印加することによって表示媒体を駆動する駆動部とを備える。駆動部は、パルスの幅が０．５μｓｅｃ以上、１ｍｓｅｃ以下である電圧を一対の電極部に印加する。【選択図】図５
2011209324.tif 000002
【特許請求の範囲】
【請求項１】
少なくとも一方が透明な一対の電極部と、
前記一対の電極部と対応して設けられ、少なくとも一方が透明な一対の基板と、
前記一対の電極部の間に封入され、電界が与えられることによって何れかの電極に向けて移動する表示媒体と、
前記一対の電極部に電圧を印加することによって前記表示媒体を駆動する駆動部と
を備える情報表示装置であって、
前記駆動部は、パルスの幅が０．５μｓｅｃ以上、１ｍｓｅｃ以下である電圧を前記一対の電極部に印加する情報表示装置。
【請求項２】
前記駆動部は、前記一対の電極部の一方に印加される電圧と、前記一対の電極部の他方に印加される電圧との差をｄＶとしたときに、前記ｄＶの１０％の電圧から前記ｄＶの９０％の電圧までの立ち上がり時間Ｔｒが１００μｓｅｃ以下である電圧を前記一対の電極部に印加する請求項１に記載の情報表示装置。
【請求項３】
前記一対の電極部は、
所定方向に配設された第１電極と、
前記所定方向と直交する方向に配設された第２電極と
を含み、
前記駆動部は、一つの画像を表示する場合、前記第１電極と前記第２電極とが重なる領域において、１回以上１，０２４回以下の前記パルスによって構成される電圧を印加する請求項１または２に記載の情報表示装置。
【発明の詳細な説明】
【技術分野】
【０００１】
本発明は、電気的に駆動可能な表示媒体を用いた情報表示装置に関する。
【背景技術】
【０００２】
従来、電気的に駆動可能な粒子などの表示媒体（例えば、電子粉流体（登録商標））を用いた表示媒体移動型の情報表示装置が知られている。このような情報表示装置は、基本的に表示される画像の書き換え時のみに電力を必要とするため、電子ペーパーなどに好適に用いることができる。
【０００３】
このような情報表示装置では、例えば、少なくとも画像表示面側に配置される電極が透明な一対の電極間に、正または負に帯電した二種類の表示媒体が封入されている。一方の表示媒体は白色に着色され、他方の表示媒体は黒色に着色されており、表示媒体は、電極によって与えられた電界の極性に応じて電極間を移動する。
【０００４】
また、電極に印加される電圧のパルス幅は、３０μｓｅｃ以上１ｍｓｅｃ以下が好ましいとされている（特許文献１参照）。電極には、このようなパルス幅の電圧が複数回（例えば、５〜５０回）印加され、表示媒体は、何れかの電極側に移動する。このようなパルス幅の電圧を用いる情報表示装置では、表示媒体を所望の電極側に確実に移動させることができ、高い画像のコントラストを実現できる。
【先行技術文献】
【特許文献】
【０００５】
【特許文献１】特開２００８−１５８５０９号公報（第４頁、第４図）
【発明の概要】
【発明が解決しようとする課題】
【０００６】
しかしながら、上述した従来の情報表示装置では、高い画像のコントラストを実現できる一方、画面全体の高速な画像の書き換えには必ずしも適していない問題があった。
【０００７】
そこで、本発明は、このような状況に鑑みてなされたものであり、画像のコントラストを大きく低下させることなく、高速に画像の書き換えられる情報表示装置の提供を目的とする。
【課題を解決するための手段】
【０００８】
本発明に係る情報表示装置（情報表示装置１０）は、少なくとも一方が透明な一対の電極部（表面電極４０ａ，裏面電極４０ｂ）と、前記一対の電極部と対応して設けられ、少なくとも一方が透明な一対の基板（表面基板２０ａ，裏面基板２０ｂ）と、前記一対の電極部の間に封入され、電界が与えられることによって何れかの電極に向けて移動する表示媒体（例えば、白色表示媒体９０Ｗ，黒色表示媒体９０Ｂ）と、前記一対の電極部に電圧を印加することによって前記表示媒体を駆動する駆動部（画像表示モジュール３００）とを備え、前記駆動部は、パルスの幅が０．５μｓｅｃ以上、１ｍｓｅｃ以下である電圧を前記一対の電極部に印加することを要旨とする。
【発明の効果】
【０００９】
本発明の特徴によれば、画像のコントラストを大きく低下させることなく、高速に画像の書き換えられる情報表示装置を提供することができる。
【図面の簡単な説明】
【００１０】
【図１】本発明の実施形態に係る情報表示装置１０の概略斜視図である。
【図２】本発明の実施形態に係る画像表示パネル１００の幅方向（Ｙ方向）及び高さ方向（Ｚ方向）に沿った断面図である。
【図３】本発明の実施形態に係る画像表示パネル１００の駆動に関連するハードウェアのブロック構成図である。
【図４】本発明の実施形態に係る情報表示装置１０の論理ブロック構成図である。
【図５】本発明の実施形態に係る画像表示パネル１００の駆動に用いられる駆動波形の一例を示す図である。
【図６】本発明の実施形態に係る画像表示パネル１００の駆動に用いられる駆動波形のデューティ比を示す図である。
【図７】画像表示パネル１００の駆動に関連するハードウェアの変更例を示す図である。
【発明を実施するための形態】
【００１１】
次に、本発明に係る情報表示装置の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきである。また、図面相互間においても互いの寸法の関係や比率が異なる部分が含まれ得る。
【００１３】
（１）情報表示装置の概略構成
図１は、本実施形態に係る情報表示装置１０の概略斜視図である。図１に示すように、情報表示装置１０は、画像表示パネル１００と筐体２００とを有する。画像表示パネル１００は、情報表示装置１０に読み込まれた画像データに基づいて画像を表示する。筐体２００は、画像表示パネル１００及び画像表示パネル１００を駆動する電源やプリント回路基板（ＰＣＢ）などを収容する。筐体２００の側部には、メモリカードのスロット及びUSBインタフェース（不図示）などが設けられてもよい。
【００１４】
画像表示パネル１００は、表示媒体移動型であり、本実施形態では、白色と黒色の電子粉流体（登録商標）などの帯電性粒子を含んだ複数の粒子群が用いられる。画像表示パネル１００のサイズは、特に限定されないが、本実施形態では、６インチ〜１５インチ程度であるものとして以下説明する。
【００１５】
（２）画像表示パネルの構造
図２（ａ）及び（ｂ）は、画像表示パネル１００の幅方向（Ｙ方向）及び高さ方向（Ｚ方向）に沿った断面図である。具体的には、図２（ａ）は、白色表示媒体９０Ｗが情報表示面側（図中の「目」のマークを参照）に位置している状態を示し、図２（ｂ）は、黒色表示媒体９０Ｂが情報表示面側に位置している状態を示す。
【００１６】
図２（ａ）及び（ｂ）に示すように、画像表示パネル１００は、表面基板２０ａ、裏面基板２０ｂ、表面電極４０ａ、裏面電極４０ｂ及び隔壁５０を有する。
【００１７】
一対の表面基板２０ａ及び裏面基板２０ｂのうち、表面基板２０ａは、情報表示面側に形成される。表面基板２０ａは透明な基板である。表面基板２０ａは、可視光の透過率が高く、かつ耐熱性のよいものが好ましい。裏面基板２０ｂは、表面基板２０ａと対向する。本実施形態では、裏面基板２０ｂも透明な基板である。なお、裏面基板２０ｂは必ずしも透明でなくてもよく、一方の基板（表面基板２０ａ）が透明であればよい。
【００１８】
表面基板２０ａ及び裏面基板２０ｂは、一対の電極部（表面電極４０ａ，裏面電極４０ｂ）に対応して設けられる。具体的には、表面基板２０ａ及び裏面基板２０ｂは、表面電極４０ａ，裏面電極４０ｂよりも外側にそれぞれ設けられる。
【００１９】
表面電極４０ａは、表面基板２０ａ側に形成される透明な電極である。表面電極４０ａは、表面基板２０ａの内側に形成されている。裏面電極４０ｂは、裏面基板２０ｂ側に形成される電極である。裏面電極４０ｂは裏面基板２０ｂの内側に形成されている。表面電極４０ａ及び裏面電極４０ｂは、細長い帯状の電極であり、互いに交差するように配設、つまり、マトリックス状に配設されており、画像表示パネル１００では、パッシブマトリックス駆動方式が用いられる。
【００２０】
具体的には、表面電極４０ａは、画像表示パネル１００の長さ方向（Ｘ方向）に沿って複数配設される。一方、裏面電極４０ｂは、画像表示パネル１００の幅方向（Ｙ方向）に沿って複数配設される。本実施形態において、表面電極４０ａは、所定方向に配設された第１電極を構成し、裏面電極４０ｂは、所定方向と直交する方向に配設された第２電極を構成する。表面電極４０ａと裏面電極４０ｂとが交差するそれぞれの部分が、画素に対応する。
【００２１】
隔壁５０は、表面基板２０ａと裏面基板２０ｂとの間に形成される。隔壁５０は、白色表示媒体９０Ｗ及び黒色表示媒体９０Ｂが封入される空間Ｓを仕切る。隔壁５０は、表面基板２０ａと裏面基板２０ｂとの間の空間を確保するために設けられる。空間Ｓには、白色表示媒体９０Ｗ及び黒色表示媒体９０Ｂの他に、気体（例えば、空気）が封入されている。なお、空間Ｓは真空にしてもよい。隔壁５０は、表面基板２０ａ側からの視点において格子状に形成される。格子状とは、所定の空間が形成されるように、周期的に配置されていればよい。
【００２２】
なお、上述した表面基板２０ａ、裏面基板２０ｂ、表面電極４０ａ、裏面電極４０ｂ及び隔壁５０としては、上述した特開２００８−１５８５０９号公報などに記載されている材料や寸法を適宜用いることができる。
【００２３】
また、画像表示パネル１００は、有色層７０及び散乱層８０を有する。有色層７０は、裏面基板２０ｂの外側に形成される。裏面基板２０ｂの外側とは、表面基板２０ａ側とは反対側をいう。有色層７０は、裏面基板２０ｂの外側の表面上に形成されている。なお、有色層７０は、表面基板２０ａ側からの視点において、隔壁５０と対応する部分に形成されていてもよい。有色層７０は、例えば、顔料が配合されたＰＥＴフィルムで構成される。
【００２４】
散乱層８０は、表面基板２０ａの外側に形成されている。表面基板２０ａの外側とは、裏面基板２０ｂ側とは反対側をいう。散乱層８０は、表面基板２０ａ上に形成されている。散乱層８０は、光を散乱する。散乱層８０は、光を散乱すれば、散乱方法は問わない。例えば、散乱層８０の表面に凹凸を有することにより、光を散乱させる。
【００２５】
白色表示媒体９０Ｗ及び黒色表示媒体９０Ｂは、表面電極４０ａと裏面電極４０ｂとの間に封入される。例えば、負帯電性白色粒子を含んだ白色粒子群である白色表示媒体９０Ｗ、及び正帯電性黒色粒子を含んだ黒色粒子群である黒色表示媒体９０Ｂは、表面電極４０ａ及び裏面電極４０ｂを介して電界が与えられることによって何れかの電極に向けて移動する。つまり、白色表示媒体９０Ｗ及び黒色表示媒体９０Ｂは、それぞれ異なる帯電性を有し、電気的に駆動可能である。具体的には、表面電極４０ａと裏面電極４０ｂとに電圧を印加することによって、白色表示媒体９０Ｗ及び黒色表示媒体９０Ｂは、何れかの電極に向けて移動する。
【００２６】
本実施形態では、表面電極４０ａに正の電圧を印加すると、白色表示媒体９０Ｗが表面電極４０ａ側に移動し、黒色表示媒体９０Ｂが裏面電極４０ｂ側に移動する。一方、表面電極４０ａに負の電圧を印加すると、黒色表示媒体９０Ｂが表面電極４０ａ側に移動し、白色表示媒体９０Ｗが裏面電極４０ｂ側に移動する。
【００２７】
本実施形態では、白色表示媒体９０Ｗ、例えば、以下に示す製法や材料によって製造される。まず、ポリメチルペンテンポリマー（TPX-R18；三井化学社製）１００重量部と、着色剤として二酸化チタン（タイペークCR-90：石原産業社製）１００重量部と、負帯電の荷電制御剤としてフェノール系縮合物（ボントロンＥ８９：オリエント化学製）５重量部とを２軸混練機により溶融混練する。得られた溶融混練物をジェットミル（ラボジェットミルIDS-LJ型：日本ニューマチック（株）製）で細かく粉砕する。この粉砕物を分級機（MDS-2：日本ニュ−マチック工業）を用いて分級し、溶融球状化装置（MR-10：日本ニュ−マチック工業）を用いて溶融球状化して、負帯電性の白色粒子群（白色表示媒体９０Ｗ）を得ることができる。
【００２８】
また、黒色表示媒体９０Ｂは、以下に示す製法や材料によって製造される。まず、メチルメタクリレートモノマー（関東化学試薬）６０重量部、及び、１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ボントロンＮ０７：オリエント化学製）３重量部、及び、黒色顔料として、カーボンブラック（スペシャルブラック：デグッサ製）５重量部をサンドミルにより分散させる。分散させた液に、（アクリル系及びメタクリル系）樹脂−炭化水素系樹脂ブロックコポリマー（モディパーＦ６００：日本油脂製）５重量部を溶解させる。その後、さらに２重量部のラウリルパーオキサイド（パーロイルＬ：日本油脂製）を溶解させる。その液を、界面活性剤（ポリオキシエチレンアルキルエーテル硫酸ナトリウム（ラテムルＥ−１１８Ｂ：花王製））を０．５％添加した精製水に懸濁させる。懸濁液をろ過し、得られた粒子を乾燥させる。得られた乾燥物をジェットミル（ラボジェットミルIDS-LJ型：日本ニューマチック（株）製）で細かく粉砕する。この粉砕物を分級機（MDS-2：日本ニュ−マチック工業）を用いて分級することによって、黒色粒子群（黒色表示媒体９０Ｂ）を得ることができる。
【００２９】
（３）情報表示装置のブロック構成
図３は、画像表示パネル１００の駆動に関連するハードウェアのブロック構成図である。図４は、情報表示装置１０の論理ブロック構成図である。
【００３０】
（３．１）ハードウェア構成
図３に示すように、情報表示装置１０は、画像表示パネル１００の駆動に関連するハードウェアとして、電源部２１０、ＰＣＢ２２０、ＤＣ−ＤＣコンバータ２２１、コンデンサ２２３Ａ〜２２３Ｄ、コネクタ２２５Ａ，２２５Ｂ及びＴＣＰ２３０を備える。
【００３１】
電源部２１０は、バッテリ、またはＡＣ電源と交直電圧変換器とによって構成される。ＰＣＢ２２０（プリント回路基板）には、ＤＣ−ＤＣコンバータ２２１、コンデンサ２２３Ａ〜２２３Ｄ、コネクタ２２５Ａ，２２５Ｂが搭載される。
【００３２】
ＤＣ−ＤＣコンバータ２２１は、電源部２１０から供給された電源を用いて、画像表示パネル１００を駆動する複数の直流電圧を生成する。具体的には、ＤＣ−ＤＣコンバータ２２１は、高電圧（ＨＶ）及び３種類の中間電圧（ＭＶ１，ＭＶ２，ＭＶ３）を生成する。なお、これらの電圧は以下の関係を満たす。
【００３３】
ＭＶ１＝ＨＶ−ＭＨＶ
ＭＶ２＝ＭＨＶ−ＭＬＶ
ＭＶ３＝ＭＬＶ      ここで、ＨＶ＞ＭＨＶ＞ＭＬＶ＞０
【００３４】
ＴＣＰ２３０（テープキャリアパッケージ）は、画像表示パネル１００に取り付けられている。ＴＣＰ２３０は、画像表示パネル１００を駆動するドライバＩＣ１７０（図３において不図示、図４参照）を実装し、コネクタ２２５Ａ，２２５Ｂと接続される。
【００３５】
コンデンサ２２３Ａ〜２２３Ｄは、ノイズ除去及び電源の安定化のために設けられる。コンデンサは、コネクタ毎に挿入され、ＰＣＢ２２０上において可能な限りコネクタ２２５Ａ，２２５Ｂに近い位置に挿入される。具体的には、コンデンサ２２３Ａ，２２３Ｂは、コネクタ２２５Ａの電源ライン（ＨＶ、ＭＨＶ，ＭＬＶ）とＧＮＤとの間に挿入される。コンデンサ２２３Ｃ，２２３Ｄは、コネクタ２２５Ｂの電源ライン（ＨＶ、ＭＨＶ，ＭＬＶ）とＧＮＤとの間に挿入される。
【００３６】
（３．２）論理ブロック構成
図４に示すように、情報表示装置１０は、画像表示モジュール３００、ＣＰＵ４００及び共通プラットフォーム５００に区分することができる。
【００３７】
画像表示モジュール３００は、表面電極４０ａ及び裏面電極４０ｂに電圧を印加することによって白色表示媒体９０Ｗ及び黒色表示媒体９０Ｂを駆動する。本実施形態において、画像表示モジュール３００は駆動部を構成する。
【００３８】
画像表示モジュール３００は、白色表示媒体９０Ｗ及び黒色表示媒体９０Ｂを駆動するために必要なデバイスによって構成される。具体的には、画像表示モジュール３００は、画像表示パネル１００、ロジックコントローラ１５０、高圧電源１６０及びドライバＩＣ１７０によって構成される。
【００３９】
ロジックコントローラ１５０は、ＣＰＵ４００からの制御に基づいてドライバＩＣ１７０を制御する。具体的には、ロジックコントローラ１５０は、画像表示パネル１００に適切な画像を表示させるために必要な処理が記憶されたチップによって構成される。
【００４０】
高圧電源１６０は、ＤＣ−ＤＣコンバータ２２１（図３参照）によって生成された複数の電圧をドライバＩＣ１７０に供給する。
【００４１】
ドライバＩＣ１７０は、画像表示パネル１００を駆動するＩＣによって構成される。ドライバＩＣ１７０は、ロジックコントローラ１５０からの制御に基づいて、高圧電源１６０から供給された複数の電圧のうち何れかの電圧を選択し、当該電圧値のパルスを出力する。
【００４２】
画像表示モジュール３００に位置検出部１８０を備えることもできる。位置検出部１８０を構成するタッチペンは、画像表示パネル１００上におけるペン入力に用いられる。タッチペンを用いた画像表示パネル１００上での移動は、ＣＰＵ４００上で動作するデバイスドライバを介して検出される。
【００４３】
ＣＰＵ４００上では、ユーザアプリケーション、画像処理アプリケーション及びシステムアプリケーション（例えば、外部との通信アプリケーション）が動作する。また、ＣＰＵ４００上では、オペレーティングシステム（例えば、Ｌｉｎｕｘ）及びオペレーティングシステムに対応した各種のデバイスドライバが動作する。ＣＰＵ４００としては、１チップのマイコンなどを用いることができる。
【００４４】
共通プラットフォーム５００は、画像表示モジュール３００及びＣＰＵ４００上で動作するオペレーティングシステム及びデバイスドライバによって構成される。また、情報表示装置１０は、各種メモリ（SDカードなど）へのアクセス機能、USBインタフェース及びBluetoothを搭載することもできる。
【００４５】
（４）駆動部の動作
図５は、画像表示パネル１００の駆動に用いられる駆動波形の一例を示す。また、図６は、当該駆動波形のデューティ比を示す。
【００４６】
本実施形態において駆動部を構成する画像表示モジュール３００は、図５に示す波形を有する電圧を表面電極４０ａと裏面電極４０ｂ（一対の電極部）の間に印加する。具体的には、画像表示モジュール３００は、パルス（図５の１〜ｎ）の幅が０．５μｓｅｃ以上、１ｍｓｅｃ以下である電圧を一対の電極部に印加する。
【００４７】
より具体的には、図６に示すように、当該パルスの幅、つまり、ＯＮ時間ＴDＯＮの長さは、１０μｓｅｃ〜５０μｓｅｃである。また、隣接するパルス間の幅、つまり、ＯＦＦ時間ＴDＯＦＦの長さは、１０μｓｅｃ〜３０μｓｅｃである。
【００４８】
画像表示モジュール３００は、一つの画像を表示する場合、マトリックス状に配設された表面電極４０ａと裏面電極４０ｂとが重なる領域（画素に対応）において、１回以上１，０２４回以下のパルスによって構成される電圧を印加することができる。なお、図６は、印加する電圧のパルスが１５回までの例を示している。また、図６に示すように、ＯＮ時間ＴDＯＮは、パルスの回数が増えるに従って長くなるように設定されている。一方、ＯＦＦ時間ＴDＯＦＦは、パルスの回数が増えるに従って短くなるように設定されている。
【００４９】
パルスの回数の多さに比例して表示媒体が何れか電極により多く移動するため、パルスの回数を多くすると高いコントラストの画像を表示できる。また、パルスの回数が多くなるに連れて既に多くの表示媒体が電極側に移動しているため、表示媒体は次第に移動し難くなる。そこで、ＯＮ時間ＴDＯＮがパルスの回数が増えるに従って長くなるように設定することによって、電圧が印加されている時間が長くなり、より確実に表示媒体を移動させることができる。
【００５０】
また、画像表示モジュール３００は、一対の電極部の一方（例えば、表面電極４０ａ）に印加される電圧と、一対の電極部の他方（例えば、裏面電極４０ｂ）に印加される電圧との差をｄＶとしたときに、ｄＶの１０％（０．１ｄＶ）の電圧からｄＶの９０％（０．９ｄＶ）の電圧までの立ち上がり時間Ｔｒが１００μｓｅｃ以下である電圧を一対の電極部に印加する。
【００５１】
（５）作用・効果
情報表示装置１０によれば、画像表示モジュール３００は、パルスの幅が１μｓｅｃ以上、１ｍｓｅｃ以下である電圧を表面電極４０ａと裏面電極４０ｂ（一対の電極部）の間に印加する。このようなパルス幅の電圧の場合、従来よりもパルス幅が短いため、画像表示パネル１００の画面全体を書き換える場合でも、高速に画像を書き換えることができる。
【００５２】
例えば、画像表示パネル１００が１，０２４ラインで構成されている場合、ＯＮ時間ＴDＯＮが１０μｓｅｃ〜５０μｓｅｃ、これに対応するＯＦＦ時間ＴDＯＦＦが１０〜３０μｓｅｃのパルスを複数回用いて画面全体の画像を書き換える場合、平均すると概ね０．８秒（１ライン当たり約８００μｓｅｃ）で画像を書き換えることができる。また、要求される画像のコントラストに応じて、１５回までのパルスが各画素において連続的に供給されるため、画像のコントラストが大きく低下することもない。
【００５３】
すなわち、情報表示装置１０によれば、画像のコントラストを大きく低下させることなく、高速に画像の書き換えられる
本実施形態では、画像表示モジュール３００は、立ち上がり時間Ｔｒが１００μｓｅｃ以下である電圧を一対の電極部に印加する。このため、さらに確実かつ高速に白色表示媒体９０Ｗ及び黒色表示媒体９０Ｂを移動させることができる。
【００５４】
また、本実施形態では、画像表示モジュール３００は、マトリックス状に配設された表面電極４０ａと裏面電極４０ｂとが重なる領域（画素に対応）において、１回以上１，０２４回以下のパルスによって構成される電圧を印加する。このため、さらに確実に白色表示媒体９０Ｗ及び黒色表示媒体９０Ｂを移動させることができる。
【００５５】
（６）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５６】
図７は、画像表示パネル１００の駆動に関連するハードウェアの変更例を示す。上述した実施形態に係る図３では、コンデンサ２２３Ａ〜２２３Ｄは、ＰＣＢ２２０にのみ設けられていたが、図７に示すように、集合フレキシブルプリント回路２４０にコンデンサ２４１を搭載するようにしてもよい。コンデンサ２４１もコンデンサ２２３Ａ〜２２３Ｄと同様の目的で、電源ラインとＧＮＤとの間に挿入される。コンデンサ２４１は、ＴＣＰ２３０毎に挿入され、可能な限りＴＣＰ２３０と集合フレキシブルプリント回路２４０との圧着部分に近い位置に挿入される。なお、コンデンサ２４１が設けられる場合、コンデンサ２２３Ａ〜２２３Ｄは、必ずしも設けなくても構わない。
【００５７】
上述した実施形態では、画像表示パネル１００は、白黒の画像を表示するものとして説明してきたが、本発明は、カラー画像を表示する場合にも勿論適用できる。
【００５８】
上述した実施形態では、立ち上がり時間Ｔｒが１００μｓｅｃ以下である電圧を一対の電極部に印加したが、印加される電圧は、必ずしもこのような立ち上がり時間Ｔｒでなくてもよい。また、各画素において印加されるパルスの回数は、必ずしも１，０２４回以下でなくてもよい。
【００５９】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００６０】
１０…情報表示装置
２０ａ…表面基板
２０ｂ…裏面基板
４０ａ…表面電極
４０ｂ…裏面電極
５０…隔壁
７０…有色層
８０…散乱層
９０Ｂ…黒色表示媒体
９０Ｗ…白色表示媒体
１００…画像表示パネル
１５０…ロジックコントローラ
１６０…高圧電源
１７０…ドライバＩＣ
１８０…位置検出部
２００…筐体
２１０…電源部
２２０…ＰＣＢ
２２１…ＤＣコンバータ
２２３Ａ〜２２３Ｄ…コンデンサ
２２５Ａ，２２５Ｂ…コネクタ
２３０…ＴＣＰ
２４０…集合フレキシブルプリント回路
２４１…コンデンサ
３００…画像表示モジュール
４００…ＣＰＵ
５００…共通プラットフォーム
Ｓ…空間
【図１】
2011209324.tif 000003
【図２】
2011209324.tif 000004
【図３】
2011209324.tif 000005
【図４】
2011209324.tif 000006
【図５】
2011209324.tif 000007
【図６】
2011209324.tif 000008
【図７】
2011209324.tif 000009